Podtech/llm-jp-corpus-v4-ja_patent huggingface dataset:
(57)【要約】【課題】  簡便に接着剤を除去できる接着剤の除去材を提供する。【解決手段】  弾性体マトリックスに、平均粒径０．１〜５００μｍの微粒子を分散させてなる、接着剤の除去材。弾性体マトリックスとして、平均分子量１万以上の有機化合物等が使用でき、好ましくはゴム等が使用できる。微粒子として、弾性率１ＧＰａ以上であるものが使用でき、例えばシリカ、ＴｉＯ２、Ａｌ２Ｏ３等が好適に使用できる。好ましくはこの除去材は、異方導電性接着剤等の回路接続用接着剤の除去に使用できる。【選択図】      無し【特許請求の範囲】
【請求項１】
弾性体マトリックスに、平均粒径０．１〜５００μｍの微粒子を分散させてなる、接着剤の除去材。
【請求項２】
回路接続用接着剤の除去に使用される請求項１記載の除去材。
【請求項３】
前記微粒子が、前記接着剤より硬く、前記回路より柔らかい請求項１又は２記載の除去材。
【請求項４】
前記微粒子が、弾性率１ＧＰａ以上である請求項１〜３のいずれか１項記載の除去材。
【請求項５】
前記微粒子が、シリカ、ＴｉＯ２、Ａｌ２Ｏ３から選択される少なくとも一種である請求項１〜４のいずれか一項記載の除去材。
【請求項６】
前記弾性体マトリックスが、平均分子量１万以上の有機化合物である請求項１〜５のいずれか１項記載の除去材。
【発明の詳細な説明】
【技術分野】
【０００１】
本発明は、接着剤の除去材に関し、特に相対向する回路を接続するための接着剤の除去材に関する。
【背景技術】
【０００２】
近年、精密電子機器の分野では回路の高密度化が進んでいるため、配線の脱落、剥離や位置ずれによって電気的接続が不良であったり、回路の接続後に電子部品や回路が不良になることが顕著になっている。このような場合、回路間を引き剥がす等により剥離し、回路上及び回路間に残った接着剤残渣を除去した後に、新たに良品を、接着剤を用いて接続する方法が用いられている。
【０００３】
従来、回路上及び回路間に残った接着剤残渣を除く方法として、接着剤残渣に溶剤を含浸させて残渣を脆くさせた後、綿棒等で擦り取っていた。しかし、残渣が大きい場合等には、溶剤が十分に含浸するのに多くの時間を要するため、補修作業時間が長くかかっていた。さらに有機溶剤は、回路自体を損なう恐れがあった。また、溶剤が液状のため必要な部分以外の部分にも、溶剤が広がってしまう不都合があった。
ヘラ等で擦り取る方法も用いられているが、回路を物理的に傷つける恐れがあった。
【０００４】
回路の補修方法として、幾つかの方法が既に提案されている。例えば、特許文献１では、有機溶剤を含浸したバフ回転子の使用、特許文献２，３では、接着剤剥離用組成物、特許文献４では、転写用基材と転写用接着剤を用いる方法が提案されている。
しかしながら、有機溶剤を使用する場合、有機溶剤に長時間、回路部材がさらされることによる回路部材の寸法精度のずれや回路端子の脱落等の問題がある。さらに、接着剤の除去が不十分な場合、また、使用する溶剤が電子部品や補修する回路の支持材を腐食した場合、再接続後の接続不良や接続信頼性が低下するという問題がある。
【０００５】
【特許文献１】特開平６−２２３９４５号公報
【特許文献２】特開平６−０８０９３９号公報
【特許文献３】特開平６−０８０９４０号公報
【特許文献４】ＷＯ０１／０８９２７７パンフレット
【発明の開示】
【発明が解決しようとする課題】
【０００６】
本発明の目的は、簡便に接着剤を除去できる接着剤の除去材を提供することである。
【課題を解決するための手段】
【０００７】
本発明によれば、以下の接着剤の除去材が提供される。
１．弾性体マトリックスに、長径０．１〜５００μｍの微粒子を分散させてなる、接着剤の除去材。
２．回路接続用接着剤の除去に使用される１記載の除去材。
３．前記微粒子が、前記接着剤より硬く、前記回路より柔らかい１又は２記載の除去材。
４．前記微粒子が、弾性率１ＧＰａ以上である１〜３のいずれか記載の除去材。
５．前記微粒子が、シリカ、ＴｉＯ２、Ａｌ２Ｏ３から選択される少なくとも一種である１〜４のいずれか記載の除去材。
６．前記弾性体マトリックスが、平均分子量１万以上の有機化合物である１〜５のいずれか記載の除去材。
７．１〜６のいずれか記載の除去材を用いる、接着剤の除去方法。
【発明の効果】
【０００８】
本発明によれば、簡便に接着剤を除去できる接着剤の除去材が提供できる。
本発明の除去材を用いて回路接続用接着剤を除去する場合、有機溶剤を使用しないので、有機溶剤による回路の損傷の恐れはない。
【発明を実施するための最良の形態】
【０００９】
本発明で使用する弾性体マトリックスとして、平均分子量１万以上の有機化合物等が使用でき、好ましくはゴム等が使用できる。
【００１０】
本発明で使用する微粒子は、接着剤より硬く、回路より柔らかいと、研磨の際、回路を損傷する恐れが少なく、かつ、効果的に接着剤を除去できるため、好ましい。除去すべき接着剤は、例えば、異方導電性接着剤等の回路接続用接着剤であり、通常架橋構造を有するエポキシ硬化物を含む。尚、接着剤で接続される対象は、例えば、回路基板の配線あるいは電子部品の端子又は電極等である。
具体的には、微粒子として、弾性率１ＧＰａ以上であるものが使用でき、例えばシリカ、ＴｉＯ２、Ａｌ２Ｏ３等が好適に使用できる。これらの微粒子は２種以上を混合して用いてもよい。
【００１１】
さらに、微粒子の平均粒径は通常０．１〜５００μｍであり、１〜１００μｍがより好ましく、１〜２０μｍであることがさらに好ましい。平均粒径が０．１μｍ未満であると研磨の効率に劣り、一方、平均粒径が５００μｍを超えると、回路基板等の被接着体が損傷してしまう恐れがある。また、幾つかの種類の除去材を作成し、除去すべき接着剤の量や回路部材との距離等により、使い分けることができる。
【００１２】
微粒子のゴム状マトリックスに対する配合量も、使用状況により適宜決定できるが、通常、５体積％以上である。
【００１３】
本発明の除去材の大きさ、形状は、棒状、直方体等が好ましいが、特に限定されない。また、微粒子の形状も特に限定されない。
本発明の除去材は、熱、光硬化性の液状マトリックスの微粒子を分散させた後、加熱又は光照射によって硬化させて作製するか、高温雰囲気で弾性マトリックスに練りこむことにより製造できる。
【００１４】
誤って接着した回路を剥離した後に残る接着剤、又は誤って付着させてしまった接着剤等、不要な接着剤は、本発明の除去材を用いて研磨して除去できる。この際、他の除去方法を併用してもよい。
【産業上の利用可能性】
【００１５】
本発明の除去材は、例えば電気・電子装置等に多用されている回路接続用接着剤を除去でき、回路接続部の補修や誤って付着させた接着剤の除去等に使用できる。
(57)【要約】【課題】これまで歩行性動物類に対する壁面歩行阻害剤としてグリセリン、パラフィン、ポリテトラフルオロエチレン、鉱物油、タルク等が使用されてきた。しかしそれらは阻害効果が不十分、塗布が容易でない、保管が難しい、安全性に問題がある、摂食により実験動物に影響を与える可能性がある等の問題を内在していた。そのため以上のような問題を有しない壁面歩行阻害剤を提供する。【解決手段】パーフルオロポリアルキルエーテルを壁面歩行阻害剤として用いることにより前述の問題は解決される。【特許請求の範囲】
【請求項１】
パーフルオロポリアルキルエーテルを有効成分として含有することを特徴とする歩行性動物類の壁面歩行阻害剤。
【請求項２】
歩行性動物類が節足動物、または脊索動物である請求項１に記載の壁面歩行阻害剤。
【発明の詳細な説明】
【技術分野】
【０００１】
この発明は歩行性動物類の飼育容器からの逃亡、および家屋等への侵入防止を目的とした壁面歩行阻害剤に関するものである。
【背景技術】
【０００２】
従来飼育容器からの節足動物や脊索動物等の動物類の逃亡防止や家屋等への侵入防止には、飼育容器の壁面や家屋の柱等へのグリセリン、パラフィン、ポリテトラフルオロエチレン、鉱物油、タルク等の塗布が主であった。
【発明の開示】
【発明が解決しようとする課題】
【０００３】
しかしながら、ポリテトラフルオロエチレンを除く以上に示した物質ではアルゼンチンアリのような壁面の歩行に優れた動物は簡単に飼育容器から逃走、もしくは家屋等へ侵入してしまう。またグリセリンやパラフィンは動物類によって摂食されるため、飼育している動物類が実験動物の場合は実験結果に対する摂食の影響を排除出来なくなる。さらにポリテトラフルオロエチレンは壁面歩行阻害に関しては有効であり海外で広く用いられているが粉末状であるため塗布しにくく、保管容器内で２週間に１回程度の攪拌が必要である、高湿度下では使用できない、加熱されて気化したポリテトラフルオロエチレンを作業者が吸入した場合にポリマーヒュームフィバー（ポリマー煙熱）を起こす危険性がある等その扱いの煩雑さや安全性に問題がある。
【０００４】
そこでこの発明は安全で、扱い易く、かつ効果のある壁面歩行阻害剤を提供することを課題とする。
【課題を解決するための手段】
【０００５】
以上の課題を解決するために、壁面歩行阻害剤としてパーフルオロポリアルキルエーテルを用いる事を考案した。
【発明の効果】
【０００６】
本発明におけるパーフルオロポリアルキルエーテルを用いた壁面歩行阻害剤は、効果が高く、安全で、扱い易く、かつ実験動物に影響を与えないものである。
【発明を実施するための最良の形態】
【０００７】
以下で本発明を詳細に説明する。
【０００８】
本発明で用いたパーフルオロポリアルキルエーテルはＤｕｐｏｎｔ社のＫｒｙｔｏｘ（商標）Ｒ９０１より製造された液体フッ素樹脂である。
【０００９】
パーフルオロポリアルキルエーテルは摩擦係数が極めて小さいため歩行性動物類の壁面歩行阻害剤としての応用が考えられた。そこでガラス製ビーカーの上部にパーフルオロポリアルキルエーテルを１ｃｍ幅で帯状に塗布し、壁面歩行に優れていると考えられるアルゼンチンアリ、クロナガアリ、クロヤマアリ、クロオオアリ、クサギカメムシ、ワモンゴキブリを用いてガラス製ビーカーから逃亡可能であるか否か実証実験を行ったがいずれの昆虫も逃亡は不可能であり、その効果は７−３０日程度持続した。
【００１０】
パーフルオロポリアルキルエーテルは液体であるため飼育容器の壁面や家屋の柱等への塗布が容易である。
【００１１】
パーフルオロポリアルキルエーテルは粘性が低いため、少量で広い面積へ塗布する事が出来る。
【００１２】
パーフルオロポリアルキルエーテルは化学的に極めて安定であるため、ポリテトラフルオロエチレンのように作業者がポリマーヒュームフィバー（ポリマー煙熱）を起こす危険性がない。
【００１３】
パーフルオロポリアルキルエーテルは高湿度下でもその特性を失わない。
【００１４】
パーフルオロポリアルキルエーテルは保管中に攪拌等の特別な作業を必要としない。
【００１５】
パーフルオロポリアルキルエーテルは動物類によって摂食される事はなく、また体内に入っても代謝されないため、実験動物に影響を与えない。
(57)【要約】【課題】縮毛矯正等の施術時に、美容室において、汎用されている液状のパーマ剤に添加することで、容易にクリーム状のパーマ剤を作製することができるパーマ剤用添加組成物。【解決手段】粉末油脂、ベタイン、非還元性二糖、加水分解シルク、ガム類およびデンプンを含有する粉末のパーマ剤用添加組成物。【選択図】なし【特許請求の範囲】
【請求項１】
粉末油脂、ベタイン、非還元性二糖、加水分解シルク、ガム類およびデンプンを含有するパーマ剤用添加組成物
【請求項２】
粉形態である請求項１記載のパーマ剤用添加組成物。
【発明の詳細な説明】
【技術分野】
【０００１】
本発明は、パーマ剤に添加することで、溶液に粘性等を付与する組成物に関する。
【背景技術】
【０００２】
パーマネントウェーブや縮毛矯正等の毛髪の変形処理に使用するパーマ剤は、通常、チオグリコール酸、システイン等からなる還元剤とアンモニア、エタノールアミン等のアルカリ剤を含有する第１液および臭素酸ナトリウム、過酸化水素等を主成分とする酸化剤を含有する第２液から構成されている。そして、パーマ剤の落下防止ため、第１液、第２液に種々の増粘剤が添加されている（特許文献１、２）。そして、通常、増粘剤は、第１液や第２液の製造過程で添加される。
一方、還元剤と増粘剤の相互作用による粘度低下や還元剤力価低下の防止（特許文献３）、髪質や施術者の技術レベルに応じた粘度の調整（非特許文献１）を目的として増粘剤を使用時にパーマ剤に混合することが行われている。
また、近年、施術を容易にするため、パーマ剤に油成分を配合し、乳化することでクリーム状とした製品が汎用されるようになった。
【特許文献１】特開平５−９１０６
【特許文献２】特開２００４−１６１７１０
【特許文献３】特開平１１−２５５６２７
【非特許文献１】ｈｔｔｐ：／／ｗｗｗ．ｒｅｎｅ．ｃｏｍ／ｈｅｎｎａ／ｒｏｃｋｅｔ／
【発明の開示】
【発明が解決しようとする課題】
【０００３】
従来、美容室では２〜３種類のパーマ剤を用意できれば、パーマネントウェーブや縮毛矯正に対応することができた。しかし、近年、ストレートパーマ、形状記憶パーマ等の種類が増え、それに伴い、それらの専用パーマ剤を用意する必要があり、美容室の負荷が増大している。
非特許文献１の製品（商品名：ロケットストレート）は、パーマ液とは別に用意されたゲル化剤により、パーマの施術時に被施術者の髪質や施術者技術レベルに応じた粘度の調整を行うものであるが、パーマ液自体は、ゲル化剤に合わせた特定のものである。
【課題を解決するための手段】
【０００４】
本発明は、上記課題を鑑みてなされたものであり、施術時に美容室において、汎用されている液状のパーマ剤に添加することで、容易にクリーム状のパーマ剤を作製することができるパーマ剤用添加組成物である。
本発明のパーマ剤用添加組成物は、粉末油脂、ベタイン、非還元性二糖、加水分解シルク、ガム類およびデンプンを含有する組成物である。
以下、本発明の組成物について詳細に説明する。
【０００５】
本発明に用いられる粉末油脂は、スクワラン、オリーブ油、ホホバ油、流動パラフィン、エステル油などの液状油分をアラビアガム、デキストリン、カゼイン、カゼインナトリウム、アルギン酸ナトリウムなどの被膜成分により被覆した粉末状の油脂、またはセラミド、水素添加レシチンなどの粉末状油分である。好ましいものとして、液状油分としてオリーブ油、被膜成分としてデキストリンを使用したもの、より具体的には、例えば、粉末オリーブオイル（三協食品）が挙げられる。
【０００６】
本発明に用いられるベタインは、アミノ酸のＮ−トリアルキル置換体である。好ましいものとして、例えば、トリメチルグリシンが挙げられる。
【０００７】
本発明に用いられる非還元性二糖として、例えば、トレハロース、スクロースなどが挙げられ、好ましいものとしてトレハロースが挙げられる。
【０００８】
本発明に用いられるガム類として、例えば、キサンタンガム、グアーガムなどが挙げられ、好ましいものとしてキサンタンガムが挙げられる。
【０００９】
本発明に用いられるデンプンとして、例えば、トウモロコシデンプン、ジャガイモデンプン、コムギデンプンなどが挙げられ、好ましいものとしてトウモロコシデンプンが挙げられる。
【００１０】
本発明の組成物における粉末油脂、ベタイン、非還元性二糖、加水分解シルク、ガム類およびデンプンの配合比（重量比）は、以下のとおりである。
粉末油脂＝５〜４０％、ベタイン＝５〜４０％、非還元性二糖＝５〜４０％、
加水分解シルク＝０.５〜２０％、ガム類＝２〜２０％、デンプン＝１０〜５０％
【００１１】
本発明の組成物を作製するには、粉末油脂、ベタイン、非還元性二糖、加水分解シルク、ガム類およびデンプンを所定量秤量し、常法により混合すればよい。得られた組成物は、通常、粉末である。
【００１２】
本発明の組成物は、例えば、以下のように使用すればよい。
（１）髪質に合わせたコールド液第１液を選択し、コールド液第１液の１／５量（Ｗ／Ｖ）の本発明組成物をシェーカーで混合する。
（２）温めたコールド液第２液の１／２５量（Ｗ／Ｖ）の本発明組成物をシェーカーで混合し、アプリケーター等に入れたホットウォーマーで温める。
【実施例】
【００１３】
粉末オリーブオイル２０ｇ、トリメチルグリシン２０ｇ、トレハロース２０ｇ、加水分解シルク末３.５ｇ、キサンタンガム７.５ｇ、コーンスターチ２９ｇを混合し、パーマ剤用添加組成物の粉末１００ｇを得た。
【産業上の利用可能性】
【００１４】
本発明のパーマ剤用添加組成物は、縮毛矯正の施術時に美容室において、汎用されている液状のパーマ剤に添加することで、容易にクリーム状のパーマ剤を作製することができる。
(57)【要約】【課題】世界的に津波対策は遅れています。主に津波の危険がある地域ほど都市開発・観光開発が進んでいます。極くまれに来る津波に対して実際の生活上からは堤防の高さは低く押さえざるを得ません。しかし、津波の危険は、益々重大な被害をもたらします。本発明による回転立ち上がり式の堤防は、それらの問題を解決します。【解決手段】堤防は実際の生活上の限度の高さに押さえ、津波の力、水位上昇に追随してセットしたブイの浮力で上昇もする本津波防御水防板の設置により、それらの問題は解決します。眺望の妨げとならず、且つ、高ざが必要な堤防の解決は、普段は水平にし、津波の際は津波の力と水位上昇の浮力を借りて上昇・回転立ち上がるパネルによる解決策が妥当です。【選択図】  図１
2006241954.tif 000002
【特許請求の範囲】
【請求項１】
堤防と一体化し津波を受けて、回転立ち上がる津波防御水防板で、堤防（２）から突き出たブラケット（３）の上に回転立ち上がりパネル（１）を回転ヒンジ（４）とパネル（１）中間の荷重受け足（５）でセットする。パネル（１）下端には、単なる水位上昇に備え浮力ブイ（６）をセットする。パネル（１）が回転立ち上がった際の受け柱（１０）をパネル両端に立上げる。その上部にショックアブソーバー（１１）を取り付ける。パネル（１）は津波の水圧を軽減する為に、その場での津波の予測値でパネル（１）の強度との相関関係で斜めになって津波を受ける為、受け柱（１０）にテーパーを付ける。パネル（１）先端は津波の力をより上向きに回転させる為に斜めにする。回転パネル（１）と堤防との間はヒンジ付スライドパネル（８）を取り付ける。
浮力ブイ（６）は衝撃低減化の為に複層型クッション材とする。クッションの構成は水に浮く比重のボードと弾性体材料の並べられたチュウブとのサンドウイッチ化した複層構成とする。
【発明の詳細な説明】
【発明の詳細な説明】
【技術分野】
【０００１】  本発明は堤防の高さが制約される場合に、低くても回転パネル（１）で有効高さが確保出来る。
【背景技術】
【０００２】  従来の堤防は日常生活に支障を来す為に低めに構築せざるを得ない場合があり、津波に対処しえぬ。
【発明が解決しようとする課題】
【０００３】  まれにしかない地震の為に堤防を高く出来ない場合が多い。この発明によれば低い堤防でも津波の力を利用して充分な高さが確保できる。立ち上がった回転バネルはまれにしかない為に移動式の器具を堤防にセットして下ろす。
【課題を解決する為の手段】
【０００４】  請求項１で示した構成により、制約の中で堤防自体は低くても津波の力を利用して、必要な高さの堤防が可能となる。強力な津波迄は行かぬケースでも津波が水位を上昇させパネル（１）を立ち上がらせる迄に至らなくても浮力ブイ（６）で水位レベル迄は浮力で上昇し水位に追随してパネル（１）が浮上してゆく為に、津波は堤防（２）を超えない。急激な津波が襲った場合にパネル（１）下に空気が閉じ込められないように、堤防（２）とパネルの間に蓋を兼ねた、ヒンジ（９）付のスライドパネル（８）を取り付けてある。
【発明を実施するための最良の形態】
【０００５】前記の解決の手段で列挙した手法により、今迄、不可能であった堤防が可能となり、既存の堤防の改修にも道が開かれる。
【発明の効果】
【０００６】  景観からも、経済的にも高い堤防が出来ない場合や、既存の堤防の嵩上げが必要だが景観からも出来ない場合にも、本発明は対応できます。なによりも観光地に於ては堤防を高くする事は地域全体の観光資源・自然との調和を破壊します。
【図面の簡単な説明】
【図１】断面図
【図２】平面図
【図３】立面図
【図４】浮力ブイ断面
【符号の説明】
１．回転立ち上がりパネル
２．堤防
３．堤防からのブラケット
４．回転ヒンジ
５．中間荷重受け足
６．浮力ブイ
７．パネル先端の手摺兼用の回転力補助フィン
８．ヒンジ付スライド蓋
９．スライド蓋ヒンジ
１０．立ち上がりパネル受けテーパー付柱
１１．ショックアブソーバー
１２．陸地
１３．津波の恐れある低地
【図１】
2006241954.tif 000003
【図２】
2006241954.tif 000004
【図３】
2006241954.tif 000005
【図４】
2006241954.tif 000006
(57)【要約】【課題】  本発明は、騒音対策及び、省エネルギーに対応した住環境を目的とした防音室を安価でしかも移動を容易にした移動組立式防音室。【解決手段】  本発明はパイプ又は、鉄骨を構造体とする事により軽量壁とする事が出来移動が楽になった。従来は壁を耐力壁として利用した防音室はあったが重量が重く個人の住宅特にアパートやマンション等には向かなかった。遮音性が高いとされる空気層を空気のマットをつかい移動時には空気を抜いて運べる為１人で組立、１人で運べて、１人で解体出来る。又、寝室として利用する場合、交通量の激しい場所や隣室からの騒音に悩む事も無く何よりも、防音室内を空調するだけなので省エネとなる。今、分煙が叫ばれているが喫煙室としても使え、子供部屋等として部屋の中に２〜３個置くことにより各自の部屋が出来る。【選択図】  図２
2006241957.tif 000002
【特許請求の範囲】
【請求項１】
構造体としてパイプ又は、鉄骨材により組立てる事で、壁に重量を持たす耐力壁とせず、軽量の空気のマットを用いて上から耐火シートで覆い、内側から吸音板を嵌め込む事により組立て・解体及び移動を楽にする事を特徴とする移動組立て式防音室。
【発明の詳細な説明】
【技術分野】
【０００１】  本発明は、軽量化を図る事により、簡単に組立て及び、解体出来る防音室である。
【背景技術】
【０００２】  オーディオ・ピアノ等の防音として室内の壁を防音材にして、空調としては部屋全体を冷却・暖房及び清浄していた。又、喫煙者はベランダ等にて喫煙していた。
【発明の開示】
【発明が解決しようとす課題】
【０００３】  部屋全体を防音材にて施工する場合コストも高く、持家に限られ又、部屋全体の空調は、ロスが多く無駄な電力を消費していた。パネル式防音室等もあるが重量が嵩み１人で組立る事が出来なかった。
【課題を解決する為の手段】
【０００４】  本発明は、ねじ込みパイプ等で枠を作り空気のマットを外部から取付け又、内側より防音パネルをはめ込み、最外部より防火シートで覆うだけなので、コストも安くすみ、上述のパネル式の様に構造体を耐力壁とした場合は重量が嵩む為、耐力壁としない壁を用いる
【発明の効果】
【０００５】  上述の通り組立て式の為、引越しの際にも軽量なので自分で解体して、新居で１人で組立出来る。又、音楽の空間としてではなく周りの騒音で勉強や読書等に集中出来ない時などや睡眠時に利用すると、冷暖房の効率も良く省エネにも繋がる。換気は、熱交換機能付を設備し、家庭内で嫌われる喫煙に関しても防音室内で楽しむことが出来る。
【発明を実施する為の最良の形態】
【０００６】  パイプ等の骨組みに、防音の為の空気のマットを外部より取付、補強の為防火シートで覆い、内側より薄い防音パネルをはめ込む。将来的に解体出来るように、接着剤は使用せず、ネジ式及びはめ込み式とする。
【実施例】
【０００７】  以下、添付図面に従って一実施例を説明する。記載の実施例は１人用タイプであるが要望に応じサイズを変える事も出来る。構造体としてパイプ又は鉄骨材を用いて接着剤は使用せずネジ式とする。構造体の外部より空気のマットを取付けその上から防火シートで覆いその効果として空気のマットの保護と気密性を向上する事が出来る。内部は壁・天井に薄い吸音板を嵌め込み床はパネルに絨毯を貼り防音性を高める。空気マットは
【図９】
の通り折畳み式又は特注は個別に装着し移動時には空気を抜いて持運ぶ。換気は自然換気で消音壁を作ったパイプを標準装備、オプションとして熱交換機能付換気扇・エアコンを装備する。
【図面の簡単な説明】
【０００８】
【図１】本発明の平面図である。
【図２】本発明の断面図である。（熱交換機能付換気扇・エアコン装備時）
【図３】本発明の防火シートのパース図である。
【図４】本発明の構造体のパース図である。
【図５】本発明の空気のマットのパース図である。
【図６】本発明の壁及び床の断面図である。
【図７】本発明完成時のパース図である。（熱交換機能付換気扇装備時）
【符号の説明】
【０００９】▲１▼つっぱり棒（地震対策）
▲２▼熱交換機能付換気扇（オプション）
▲３▼照明
▲４▼エアコン
▲５▼テーブル
▲６▼スライド式キーボード板
▲７▼換気消音パイプ
▲８▼防火シート
▲９▼構造体（パイプ使用時）
▲１０▼空気のマット（折畳み式）
▲１１▼吸音板
▲１２▼とめ金具
▲１３▼耐震ゴム
▲１４▼パッキンゴム
▲１５▼床パネル
▲１６▼絨毯
【図１】
2006241957.tif 000003
【図２】
2006241957.tif 000004
【図３】
2006241957.tif 000005
【図４】
2006241957.tif 000006
【図５】
2006241957.tif 000007
【図６】
2006241957.tif 000008
【図７】
2006241957.tif 000009
(57)【要約】      （修正有）【課題】ガス熱により屋根上の雪を水状にする装置の提供。【解決手段】過熱不焼材合成カワラ１の下に樹脂パイプ２を引き、さらに断熱材３を下に引き貯湯タンク４に集めた水を熱源機５に通して圧力をかけ屋根の上のパイプ２に湯を送り込みパイプ２の中を巡回させる雪を溶かす。【選択図】図１
2006241964.tif 000002
【特許請求の範囲】
【請求項１】
屋根上ガス暖熱式雪溶解機の作成方法
【発明の詳細な説明】
【技術分野】
【０００１】本発明は屋根上に積もる雪をガス熱によりパイプの中に熱水を送り込み屋根の雪を水状に排除するよう考案したものである。〔背景技術〕【０００２】従来雪国では屋根上の雪を排除するのに熱、又は電気の熱でパイプの中に熱水を通して雪を溶解する方法はなかった。〔発明の開示〕〔発明が解決しょうとする課題〕【０００３】  これは次のような問題点があった。  屋根上の雪を排除する為人が屋根に登って作業するので下に落ちたり人命さえ失うことも有り、又雪の重みで屋根が破損することもあった。  本発明は以上のような欠点をなくする為になされたものである。〔課題を解決する為の手段〕【０００４】  屋根上の雪をガス熱を利用して溶解し、水状に変える暖熱式ガス雪溶解機である。〔発明の効果〕【０００５】  屋根上にガス断熱用のパイプを縦横にひきつめて、屋根上の雪を溶解し、水に変え屋根下に排除するので、人力による動力又は危険防止につながる。さらに他の利点として冬がすぎて外の温度が上がった時はパイプの中の水が湯状になる為、風呂又は台所にも使用出来る。〔発明を実施する為の最良の形態〕【０００６】  似下本発明の実施側について説明する。〔イ〕これから家を新築する場合過熱不焼材合成カワラ（１）の下に樹脂パイプ（２）を引きさらに断熱材（３）を下に引く〔ロ〕貯湯タンク（４）で集めた水を熱源機（５）に圧力をかけて屋根の上のパイプに熱湯を送り込みパイプの中で巡回させ大屋根に熱で溶けた水（６）が下屋根（７）に流れて雪を溶かす。〔ハ〕春、夏、秋の暖かい日は屋根の上に水を上げ熱水にし配水利用風呂、台所（８）に利用する。〔ニ〕さらに現在カワラを使用している中古住宅に取り付けるには薄過熱不熱材（１）の下に樹脂パイプ（２）を引きその下に断熱材（３）を引き現在使用している中古住宅のカワラ（９）を最下部に持ってくる方法である。〔ホ〕発明は以上のように新築の場合は最上部に合成カワラを使用し現在カワラを使用している中古住宅には最下部のカワラの上に形成していくのである。〔ヘ〕このように形成すれば、雪が水状になり、人力もいらないので危険防止にもつながる。〔ト〕そして同じような方法でガス熱だけでなく電気熱で熱水を作る事も出来又、暖房機で熱風をパイプの中に送り込む方法もある。
【図面の簡単な説明】
【０００７】
【図１】本発明の斜視図である
【図２】本発明の斜視図である
【図３】本発明の断面図である
【符号の説明】
【０００８】１．過熱不焼材合成カワラ又は薄い過熱不焼材２．樹脂パイプ３．断熱材４．貯湯タンク５．熱源機６．熱で溶けた水７．下屋根８．配水利用風呂、台所９．現在使用している中古住宅のカワラ
【図１】
2006241964.tif 000003
【図２】
2006241964.tif 000004
【図３】
2006241964.tif 000005
(57)【要約】【課題】本発明は、簡便に施工かつ撤去可能な砂利舗装手段の提案にある。【解決手段】本発明は、路盤に敷き設可能な区画枠体であって、当該区画枠体は砕石を充填可能な容器部と荷重を支える踏み圧部および雨水を路盤に浸透させるための透水部を踏み圧部および／あるいは容器部の間に有し、前記区画枠体を敷き設し、砕石を充填せしめた砂利舗装である。特に畑地などに臨時にあるいは一時的に砂利舗装を行うとき、用途終了後に元の畑地に戻すことができるよう砂利を容器と踏み圧部でその移動を制限し、容器ごと回収できるようにした。【選択図】図1
2006241927.tif 000002
【特許請求の範囲】
【請求項１】
路盤に敷き設する区画枠体であって、当該区画枠体は砂利を充填可能な容器部と荷重を支える踏み圧部を有し、前記区画枠体を敷き設し、容器部に砂利を充填せしめた砂利舗装。
【請求項２】
路盤に敷き設する区画枠体であって、当該区画枠体は砂利を充填可能な容器部と荷重を支える踏み圧部および雨水を路盤に浸透させるための透水部を踏み圧部および／あるいは容器部の間に有し、前記区画枠体を敷き設し、容器部に砂利を充填せしめた砂利舗装。
【発明の詳細な説明】
【技術分野】
【０００１】
本発明は、簡便に砂利舗装を施工しかつ撤去可能な砂利舗装技術に属する。
【背景技術】
【０００２】
従来の透水性舗装は、（１）砂利をまいた砂利舗装、（２）インターロッキングを含むレンガの敷設によるブロック舗装、（３）プラスチック製などの枠体内に木製、タイル製、石製のブロックを挿入し、その枠体に設けた接続部で相互に接続し簡便にブロック舗装を実施する枠体ブロック舗装あるいは（４）前記枠体を敷き設し、枠体に設けた区画部にセメントなどを流し込んでブロック舗装を実施する方法等が知られている。その（３）および（４）のブロック舗装の詳細は特開2000-204507、特開2001-000051、特開2001-003305、特開2001-193006等に開示されている。
【０００３】
枠体に設けられた所定区画内にタイル、石製などの既成のブロックをはめ込みあるいはコンクリートを流し込んでブロック舗装を形成する上記手段の一部には、ブロックを充填する区画とは異なる区画部が設けられている。この区画部は欠落可能な天井部で覆われ、ブロック舗装を完了した後欠落させその部分を雨水の透水性部とし、またその部分に芝を育成させ緑ゆたかなブロック舗装を可能としている。これら透水性技術はいずれも恒久的な目的で施工されることを前提としており、イベントなどで短期間使用され、使用後は簡単にもとの更地あるいは畑地に戻すことを想定していない。
また従来の砂利舗装は畑地などに施工した場合、砂利が畑土と混合し、元の畑地に戻すことは実質上不可能である。
【０００４】
【特許文献１】特開2000-204507
【特許文献２】特開2001-000051
【特許文献３】特開2001-003305
【特許文献４】特開2001-193006
【発明の開示】
【発明が解決しようとする課題】
【０００５】
本発明は、簡便に施工かつ撤去可能な透水性砂利舗装手段の提案にある。
【課題を解決するための手段】
【０００６】
本第1の発明は、路盤に敷き設する区画枠体であって、当該区画枠体は砂利を充填可能な容器部と荷重を支える踏み圧部を有し、前記区画枠体を敷き設し、容器部に砂利を充填せしめた砂利舗装である。特に畑地などに臨時にあるいは一時的に砂利舗装を行うとき、用途終了後に元の畑地に戻すことができるよう砂利を容器と踏み圧部でその移動を制限し、容器ごと回収できるようにした。
本第2の発明は、路盤に敷き設する区画枠体であって、当該区画枠体は砂利を充填可能な容器部と荷重を支える踏み圧部および雨水を路盤に浸透させるための透水部を踏み圧部および／あるいは容器部の間に有し、前記区画枠体を敷き設し、容器部に砂利を充填せしめた砂利舗装である。雨水の地下浸透をより容易になされるよう透水部を設けた。
【発明の効果】
【０００７】
本発明は、容器に砂利を充填することで砂利舗装を実施できるようにしたため、駐車場としての用途が終了したとき砂利を散逸させずに簡単に元の畑地などに復元できる。
【発明を実施するための最良の形態】
【０００８】
以下本発明を図により詳細に説明する。
図1、図2は、本発明に使用する区画枠体の例である。いずれも砂利を充填する容器部と踏み圧部からなり、必要に応じ雨水を地下に浸透するための透水部を有している。透水部は区画枠体に透水部としての区画であっても、容器部底部もしくは側部に設けた透水孔であってもよい。
【０００９】
図1ａに示す区画枠体は、4つの容器部と容器部の交点部および容器部間の踏み圧部からなっている。図１ｂに示す区画枠体は、4つの容器部と容器部の交点部の踏み圧部および容器部間に設けた透水部からなっている。
図2に示す区画枠体は上と同様の構成がとられているが、４つの容器部の交点部である踏み圧部が容器部の上に突出している。
図２ｂでは透水部は２つの容器部間に設けられているが、踏み圧部にその強度に影響を及ぼさない範囲で設けてもなんら差し支えがない。
透水部は区画枠体の底部に雨水を流下させ、かつ砂利が落下しない程度の開口部とすることができればよいので、その目的の範囲内で自由にその位置形状を変えることができる。
【００１０】
図３、図４は上記図1ａ、図２aに示す区画枠体を敷き設した状態を示している。畑地などを整地して区画枠体を上図に示すように敷き設した後、容器部に砂利を充填すればそのまま砂利駐車場が実現する。
駐車場の用途がなくなった時点で区画枠体ごと撤去すれば砂利の散逸は最小限に抑えられ、元の畑地が復元できる。
【００１１】
図５は、図２ａ、図２ｂに示す区画枠体を用いた本発明の砂利駐車場の断面図を示している。本例に示すように、いずれも整地した畑地などの表面に容器部と踏み圧部が交互に並び、容器部とその上部の踏み圧部にいたる高さまで砂利が敷き詰められる。図２ｂに示す区画枠体を用いた例では、容器部に溜まった雨水が容器部の上面を越えると容器部の間に設けた透水部から地下に浸透するようになっている。地下水の涵養に役立つと共に、容器に貯留された雨水も夏季には揮発し砂利駐車場の温度上昇を防止できる。
【００１２】
必要に応じ畑地と区画枠体との間に透水性シート、保護シートなどを敷き路面の安定を図ることも可能である。
【００１３】
区画枠体はポリプロピレン、ポリエチレンなど熱可塑性樹脂あるいはステンレススチールなどの金属が使用できる。
【００１４】
本発明は、臨時に設ける砂利駐車場として特にその効果を発揮するが恒久的な駐車場としてもなんら差し支えがない。
【図面の簡単な説明】
【００１５】
【図１】本発明に使用する区画枠体の例を示す。
【図２】本発明に使用する区画枠体の他の例を示す。
【図３】図１に示す区画枠体を敷き設した状態の概念図である。
【図４】図２に示す区画枠体を敷き設した状態の概念図である。
【図５】図２に示す区画枠体を使用した砂利駐車場の断面を示す概念図である。
【符号の説明】
【００１６】
１  区画枠体
２  容器部
３  踏み圧部
４  透水部
【図１】
2006241927.tif 000003
【図２】
2006241927.tif 000004
【図３】
2006241927.tif 000005
【図４】
2006241927.tif 000006
【図５】
2006241927.tif 000007
(57)【要約】【課題】プラスチック等の軽量な容器又は小物にこのゴムシートを接着させることにより、平滑な垂直面にこれらを装着することができる。例えばシートを容器に貼り、それを壁面に装着することで花生けのような装飾品として利用できるし、フック等の裏面に貼り平滑面に装着することで、小物をつるすなど実用品として利用できるなど様々な用途が考えられる。  【解決手段】表面Aを接着剤或いは粘着材とし、裏面Bを柔軟かつ吸着性のあるシート状の合成ゴムを用い、接着させた事を特徴とする吸着性のある吸着ゴムシート C。【選択図】図１
2006241205.tif 000002
【特許請求の範囲】
【請求項１】
表面(A)を接着剤或いは粘着材とし、裏面(B)を柔軟かつ吸着性のあるシート状の合成ゴムを用い、接着させた事を特徴とする吸着性のある吸着ゴムシート (C)。
【発明の詳細な説明】
【技術分野】
【０００１】
本発明は、小物等に用い、それを平滑な垂直面に容易に着脱させる事に関するものである。
【背景技術】
【０００２】
従来、平滑な垂直面に小物等を容易に着脱させる為には、ゴム吸盤等があり、小物等を吸盤一点で支える為に吸着力が弱いと言う欠点があった。
【発明の開示】
【発明が解決しようとする課題】
【０００３】
この欠点を克服するためには、小物等を点ではなく面で吸着するシートの開発が必要であった。
【課題を解決するための手段】
【０００４】
本発明の吸着性のある吸着ゴムシートCは、表面Aを接着剤或いは粘着材とし、裏面Bを柔軟かつ吸着性のあるシート状の合成ゴムを用い、接着させた事を特徴とする。
【０００５】
本発明で用いる柔軟かつ吸着性に富むシート状の合成ゴムとしては、例えばシリコンゴム等が挙げられる。又接着剤或いは粘着材Aとしては、例えばシリコーン・アクリル粘着両面テープが挙げられる。
【発明の効果】
【０００６】
本発明の吸着ゴムシートは上記の通りの構成となっており、表面Aの接着剤或いは粘着材で小物に本シートを固定し、裏面Bの柔軟かつ吸着性のあるシート状の合成ゴムにより小物を平滑な垂直面に容易に着脱させる事が可能になる。
【発明を実施するための最良の形態】
【０００７】
以下、本発明の実施の一例に付き、図面を用いて説明する。図1は本発明のシートCの断面図を示す図である。Aは接着剤或いは粘着材からなる表面であり、B 
は柔軟かつ吸着性のあるシート状の合成ゴムからなる裏面であり、Cは表面Aと裏面Bを接着させた物である。
【実施例１】
【０００８】
表面Aは、東方産業株式会社製のシリコーン・アクリル両面粘着テープ(SA-6)で、厚み10μを用い、裏面Bはシバタ工業株式会社製の高性能シリコンシートで、厚み200μ、  硬さはＪＩＳ-Ａ  8、を使用した。かくして得られた吸着ゴムシートCは、表面Aの接着材或いは粘着材で小物に固定し、裏面B 
の吸着力により小物を平滑な垂直面に容易に着脱させる事ができた。
【０００９】
次に、図２で本発明の吸着ゴムシートCを実際に使用している状況の一例に付いて説明する。平滑な壁面Dに小物Eを吸着させた一例である。Cは本発明の吸着ゴムシート、Dは平滑な壁面、Eは小物である。
【産業上の利用可能性】
【００１０】
シートを装着する事により小物を容易に平滑な垂直面に着脱させる事ができる。
【００１１】
シートを装着する事により小物を強力に吸着させる事ができる。
【図面の簡単な説明】
【００１２】
【図１】本発明の吸着ゴムシートの一例の断面図である。
【図２】本発明の吸着ゴムシートを実際に使用した状況を示す側面図である。
【符号の説明】
【００１３】
A  表面
B  裏面
C  本発明の吸着ゴムシート
D  平滑な壁面
E  小物
【図１】
2006241205.tif 000003
【図２】
2006241205.tif 000004
(57)【要約】【課題】      根太の上部に凹実部を設けその実部に金具を付設することにより、相対向する床材の凹実部下部が根太と固定し相対向する床材の凸実部ともさらに固定でき床材同士及び根太との結合をより簡単で強度な床材結合を提供することである。【解決手段】  根太の上部実部にステンレス製金具を付設し相対向する床材と一体化させ、相対向する床材との結合を容易にすることである。【選択図】      図３
2006241727.tif 000002
【特許請求の範囲】
【請求項１】
構造材（根太）の上部に凹実部を設け相対向する一方の床材の側端部との結合を容易にする床材接合構造    
【請求項２】
構造材（根太）の凹実部にステンレス製金具をビスで付設しその実部と相対向する一方の床材に凹実部を設けた当該実部の下部とが接合し当該実部のおさまりと弾性変形を抑制すると言う床材接合構造
【請求項３】
構造材（根太）と一体化した床材と相対向する床材の実部凸が接合する床材接合構造
【請求項４】
ステンレス製金具を付設している根太を用いることによりノンビス及びノンボンド工法の接合を可能とした床材接合構造
【発明の詳細な説明】
【技術分野】
【０００１】
本発明は、相対向する床材の側端部と凹実部に金具を付設した根太の上部とを接合してなる床材接合構造に関するものである。
【背景技術】
【０００２】
相対向する床材の側端部を接合してなる床材接合構造は知られている。例として特許文献１に開示されている。この場合床下の根太材に床材が付設され、この床材の実部に固定釘が打たれ実部に隣接する床材の実部と結合され根太と結合していきます。しかし固定釘を打つために床材を順次移動させる作業が発生し、作業能力に劣るものがありました。
【特許文献１】特開平９‐７８８０５号公報
【発明の開示】
【発明が解決しようとする課題】
【０００３】
本発明は、上記従来の技術のおける問題を解決するために発明されたもので、その課題は根太の上部に凹実部を設けその実部に金具を付設することにより、相対向する床材の凹実部下部が根太と固定し相対向する床材の凸実部ともさらに固定でき床材同士及び根太との結合をより簡単で強度な床材結合を提供することである。
【課題を解決するための手段】
【０００４】
この課題を解決するための請求項１の発明は根太の上部に凹実部を設けることにより相対向する床材の接合を可能にする金具を取り付けることが出来る。
【０００５】
また、請求項２の発明は根太と相対向する床材がステンレス製金具で一体化し固定釘なしに当該実部のおさまりと弾性変形を抑制することができる。
【０００６】
さらに、請求項３の発明は、相対向する床材の側端部に凸実部を設けることにより、一体化した相対向する床材との接合がより素早く簡素にできる。
【０００７】
最後に請求項４の発明はあらかじステンレス金具を付設しした根太が床材と接合することにより作業時のビス及び接着用材が不要となり、より簡単に床材の結合を可能とし、床材に手を加えないため床材の再利用をも可能とする。
【発明の効果】
【０００８】
本発明により固定釘無しの簡素で強度な根太と床材との結合が生まれる。
【発明を実施するための最良の形態】
【０００９】
根太の上部実部にステンレス製金具を付設し相対向する床材と一体化させ、相対向する床材との結合を容易にする。
【実施例】
【００１０】
図１は根太（１）の上部に凹実部を設けそこにステンレス製金具（２）を取り付けたことを特徴とする根太の断面図である。これにより相対向する床材の側端部との接合が簡素化される。
【００１１】
図２はステンレス製金具を付設した根太と相対向する床材（３）の側端部の凹実部との接合断面図である。この金具の付設により弾性変形を抑制することができる。
【００１２】
図３は根太と一体化した相対向する床材の側端部に相対向する床材（４）の側端部の凸実部が接合した断面図である。
【産業上の利用可能性】
【００１３】
本発明に係る根太とステンレス製金具と床材は、工業的に量産する事が可能であるため、産業上の利用可能性を有する。
【図面の簡単な説明】
【００１４】
【図１】上部凹実部にステンレス製金具を設けた根太断面図である。
【図２】ステンレス製金具を設けた根太に相対向する床材が接合した断面図である。
【図３】テンレス製金具で強度に接合された相対向する床材の凹実部に相対向する床材の凸実部が接合された床構造の断面図である
【符号の説明】
【００１５】
１  上部に凹実部を設けた根太
２  根太の上部凹実部に付設されたステンレス製金具
３  ステンレス製金具に接合する床材
４  相対向する床材の側端部に凸実部を設けた床材
【図１】
2006241727.tif 000003
【図２】
2006241727.tif 000004
【図３】
2006241727.tif 000005
(57)【要約】【課題】多忙な現時世において、また、高齢化時代においてキー所有者は外出時にドアーに施錠したか否か忘れがちであり、外出先で一日中悩むことが多い。本発明は施錠後時間が経過した後でもキー所有者に何らかの形でサインを出して、施錠したことを再認識させることによってキーのかけ忘れ防止ができる器具を提供することである。【解決手段】本発明により上記欠点は、施錠後暫く経ってキー所有者が施錠の可否の再確認を要する際、キーヘッドケースに設けられた穴の色を識別することにより、一日中悩むことなく施錠したかかけ忘れたかの判断ができる。【選択図】  図１
2006241874.tif 000002
【特許請求の範囲】
【請求項１】
キーのヘッド部に容易にキーを装着出来るキーヘッドケースで、該ケース内に上下棒と圧縮バネとラチェット状回転盤を内蔵し、キーをドアーに挿入する度に上下棒がストローク分ピストン運動し、該上下棒と一体に取り付けられたツメでラチェット状回転盤のラチェット部を押して回転させるように構成されていることを特徴とするキーヘッドケース。
【請求項２】
前記ラチェット状回転盤の円盤部に赤色シールと青色シールが交互に４５度間隔で貼り付けられており、ラチェット状回転板が回転する度にキーヘッドケースに設けられた４ヶの穴から赤色または青色が確認出来るように構成されていることを特徴とする請求項１のキーヘッドケース。
【発明の詳細な説明】
【技術分野】
【０００１】
本発明はキーヘッドケース、特に鍵のかけ忘れを防止することを目的としたキーヘッドケースに関する分野の発明である。
【背景技術】
【０００２】
従来、玄関のドアー部の施錠についてはキー所有者の心掛けに任せるだけ
であったので、外出してから暫くして施錠したか否か思い出せないことがしばしばある。特に高齢者はその頻度が多いようである。過去において、その解決法としてキーヘッドケースにブザーとライトを設け、施錠時にブザーが鳴りライトが発光するものがあるが、多忙な現時代において特に高齢者はブザーが鳴ったこと及び発光したことも忘れることがある。キーヘッドケースに施錠記録が残らないのが現状である。
【０００３】
この改善策として、キー所有者が施錠した折にキーヘッドケースの表面に施錠したことを色の変更（例えば、赤色から青色）で記録に残すことを発案した。
【特許文献１】特開平８−２８４４９６号公報
【発明の開示】
【発明が解決しようとする課題】
【０００４】
本発明は、施錠後時間が経過した後でもキー所有者に何らかの形でサインを出して、施錠したことを再確認させることによって、キーのかけ忘れ防止ができる器具を提供することである。
【課題を解決するための手段】
【０００５】
上記課題を解決するための本発明の構想は、施錠後暫く経ってキー所有者が施錠の可否の再確認を要するときはキーヘッドケースに設けられた穴に示された色を識別する注意を喚起することである。そのための手段として下記構成からなるキーヘッドケースを提供することにある。
【０００６】
キーヘッドケース、上下棒、圧縮バネ、ラチェット状回転盤、赤色シール、
青色シールおよびスペーサーからなり、キー本体がドアーのキー穴の奥まで挿入されキー本体が停止してもキーヘッドケースはストローク分更にドアー側に移動するように構成されているキーヘッドケース。
【０００７】
上下棒がストローク分往復する間に、上下棒に一体化されたツメを介して
ラチェット回転盤を４５度回転させ、キーヘッドケースに設けられた穴の色を赤色から青色又は青色から赤色に変えるように構成されているキーヘッドケース。
【発明の効果】
【０００８】
本発明は以上に説明したように構成されているので、以下に記載される効
果が期待できる。
【０００９】
本発明によるキーヘッドケースは施錠後において施錠したか否かの記録をキーヘッドケースのケース上に色で残すことができ、外出時時間が経過して施錠の可否の再確認を要するときでもケース上の色を識別することにより悩むことなくキー所有者に寄与し問題の早期解決を計る。
【発明を実施するための最良の形態】
【００１０】
以下に添付図面を参照して、更に説明するが、本発明はこれに限定される
ものではなく、いかなる形状のキーにも対応可能である。
【実施例１】
【００１１】
図１はキー本体１、キーヘッドケース２、上下棒３、圧縮バネ４、ラチェット状回転盤５、赤色シール６、青色シール７およびスペーサー８の配置関係を示した構成図である。キー本体１がドアーのキー穴の奥まで挿入されキー本体１が停止してもキーヘッドケース２はストローク分更に移動するように仕組まれている。その際、キー本体１の端部はスペーサー８、上下棒３をストローク分押し下げ、上下棒３に一体化されたツメ３ａを介してラチェット回転盤５を４５度回転させる。このとき圧縮バネ４はストローク分圧縮された状態となる。その後、手の力を緩めるとキーヘッドケース２は圧縮バネ４の圧縮力によりストローク分押し戻され元の状態となる。ラチェット回転盤５が４５度回転するとラチェット回転盤の表面に貼り付けられた赤色シール６および青色シール７もそれぞれ４５度回転することにより、キーヘッドケース２に開けられた４カ所の確認用のぞき穴２ａの色が赤色から青色または青色から赤色に変わる。確認用のぞき穴２ａの色が変わっておればキー所有者は数時間後でも施錠したことを認識できる。
【実施例２】
【００１２】
図２はキーヘッドケース２の断面図を示し、４カ所の確認用のぞき穴２ａおよび二つ割りキーヘッドケース２を一体にする凹凸ピン２ｂが設けられている。
【実施例３】
【００１３】
図３は図１のＡ−Ａ断面を示す。
【図面の簡単な説明】
【００１４】
【図１】キー及びキーケースの配置図
【図２】二つ割りキーケースの断面図
【図３】Ａ−Ａ断面図
【符号の説明】
【００１５】
１  キー本体
２  キーヘッドケース
２ａ  確認用のぞき穴
２ｂ  凹凸ピン
３  上下棒
３ａ  ツメ
４  圧縮バネ
５  ラチェット状回転盤
６  赤色シール
７  青色シール
８  スペーサー
【図１】
2006241874.tif 000003
【図２】
2006241874.tif 000004
【図３】
2006241874.tif 000005